(57)【要約】【課題】  電装盤を確実に設置することができるマンコンベヤを提供する。【解決手段】  マンコンベヤは、人を搬送する搬送部と、搬送部の幅方向の外側に配置される欄干部と、電装品を内部に有する電装盤と、を備え、電装盤は、欄干部の内部に収容される。【選択図】  図３
2020023376.tif 000002
【特許請求の範囲】
【請求項１】
人を搬送する搬送部と、
前記搬送部の幅方向の外側に配置される欄干部と、
電装品を内部に有する電装盤と、を備え、
前記電装盤は、前記欄干部の内部に収容される、マンコンベヤ。
【請求項２】
前記欄干部は、前記電装盤を固定する欄干本体部と、前記電装盤よりも幅方向の内側に配置され、前記欄干本体部に着脱される複数のパネルと、を備え、
前記電装盤の全体は、複数の前記パネルのうちの一つに、幅方向で覆われる、請求項１に記載のマンコンベヤ。
【請求項３】
前記欄干部は、前記電装盤を固定する欄干本体部と、前記電装盤よりも幅方向の内側に配置され、前記欄干本体部に着脱される複数のパネルと、を備え、
前記欄干部は、水平方向に沿ってそれぞれ配置される上端部及び下端部と、前記上端部及び前記下端部間に配置され、水平方向に対して傾斜する傾斜部と、を備え、
前記電装盤の少なくとも一部は、前記傾斜部の前記パネルに、幅方向で覆われる、請求項１又は２に記載のマンコンベヤ。
【発明の詳細な説明】
【技術分野】
【０００１】
本発明は、マンコンベヤに関する。
【背景技術】
【０００２】
従来、例えば、マンコンベヤは、人を搬送する搬送部と、搬送部を支持する構造部と、電装品を内部に有する電装盤とを備えている（例えば、特許文献１）。そして、電装盤は、構造部の端部に配置される機械室の内部に収容されている。
【０００３】
ところで、機械室の内部に各機器を収容できる空間は、限られている。したがって、例えば、電装盤を複数設置したい場合や、電装盤を追加して設置したい場合に、機械室の内部に電装盤を設置できないおそれがある。
【先行技術文献】
【特許文献】
【０００４】
【特許文献１】特開２０１６−１５０８１５号公報
【発明の概要】
【発明が解決しようとする課題】
【０００５】
そこで、課題は、電装盤を確実に設置することができるマンコンベヤを提供することである。
【課題を解決するための手段】
【０００６】
マンコンベヤは、人を搬送する搬送部と、前記搬送部の幅方向の外側に配置される欄干部と、電装品を内部に有する電装盤と、を備え、前記電装盤は、前記欄干部の内部に収容される。
【０００７】
また、マンコンベヤにおいては、前記欄干部は、前記電装盤を固定する欄干本体部と、前記電装盤よりも幅方向の内側に配置され、前記欄干本体部に着脱される複数のパネルと、を備え、前記電装盤の全体は、複数の前記パネルのうちの一つに、幅方向で覆われる、という構成でもよい。
【０００８】
また、マンコンベヤにおいては、前記欄干部は、前記電装盤を固定する欄干本体部と、前記電装盤よりも幅方向の内側に配置され、前記欄干本体部に着脱される複数のパネルと、を備え、前記欄干部は、水平方向に沿ってそれぞれ配置される上端部及び下端部と、前記上端部及び前記下端部間に配置され、水平方向に対して傾斜する傾斜部と、を備え、前記電装盤の少なくとも一部は、前記傾斜部の前記パネルに、幅方向で覆われる、という構成でもよい。
【図面の簡単な説明】
【０００９】
【図１】図１は、一実施形態に係るマンコンベヤの全体概要図である。
【図２】図２は、同実施形態に係るマンコンベヤの要部概要図である。
【図３】図３は、図２のIII−III線要部断面図である。
【図４】図４は、図２の状態から一つのパネルが取り外された状態を示す要部図である。
【図５】図５は、他の実施形態に係るマンコンベヤの要部縦断面図である。
【発明を実施するための形態】
【００１０】
以下、マンコンベヤにおける一実施形態について、図１〜図４を参照しながら説明する。なお、各図（図５も同様）において、図面の寸法比と実際の寸法比とは、必ずしも一致しておらず、また、各図面の間での寸法比も、必ずしも一致していない。
【００１１】
図１に示すように、本実施形態に係るマンコンベヤ１は、躯体に固定される構造部２と、人を搬送する搬送部３と、人につかまれる手摺部４と、搬送部３及び手摺部４を駆動させる駆動部５と、マンコンベヤ１の制御する第１電装盤（制御盤）６とを備えている。なお、本実施形態に係るマンコンベヤ１は、踏面が階段状になるエスカレータであるが、斯かる構成に限られない。例えば、マンコンベヤ１は、踏面が平面状となる移動歩道（動く歩道）であってもよい。
【００１２】
構造部２は、躯体に固定されるトラス構造２ａを備えている。トラス構造２ａは、上下階の間に掛け渡されている。また、トラス構造２ａは、上方の端部と下方の端部とに、それぞれ機械室２ｂ，２ｂを備えている。具体的には、トラス構造２ａは、マンコンベヤ１の各乗降口１ａの下方に、機械室２ｂを備えている。なお、構造部２は、各構成３〜６を支持している。
【００１３】
搬送部３は、無端回転する環状の走行部（例えば、チェーン）３ａと、走行部３ａに対して回転可能に接続され、人が乗る踏面を有する複数のステップ３ｂとを備えている。なお、走行部３ａは、第１横方向（幅方向）Ｄ１に離れて一対設けられている。そして、複数のステップ３ｂは、一対の走行部３ａ，３ａの間に配置され、それぞれの走行部３ａに対して回転可能に接続されている。
【００１４】
なお、第１横方向Ｄ１は、水平方向と平行な方向であって、上下方向Ｄ３は、水平方向と直交する方向であって、鉛直方向と平行な方向である。また、第２横方向Ｄ２は、水平方向と平行な方向であって、且つ、第１横方向Ｄ１と直交する方向である。
【００１５】
手摺部４は、無端回転する環状の手摺ベルト４ａと、手摺ベルト４ａを支持する欄干部７とを備えている。手摺部４（手摺ベルト４ａ及び欄干部７）は、搬送部３を幅方向Ｄ１で挟むように、一対設けられている。即ち、手摺部４（手摺ベルト４ａ及び欄干部７）のそれぞれは、搬送部３よりも、搬送部３の幅方向Ｄ１の外側に配置されている。
【００１６】
駆動部５は、ステップ３ｂが反転するように、走行部３ａが巻き掛けられる一対の第１回転部（例えば、スプロケット）５ａ，５ａと、第１回転部５ａを回転させる駆動源（例えば、モータ）５ｂとを備えている。第１回転部５ａは、構造部２に回転可能に接続されている。なお、上方の第１回転部５ａ及び駆動源５ｂは、上方の機械室２ｂの内部に配置されており、下方の第１回転部５ａは、下方の機械室２ｂの内部に配置されている。
【００１７】
また、駆動部５は、手摺ベルト４ａを無端回転させるために、外周部が手摺ベルト４ａに加圧して接触される第２回転部５ｃを備えている。第２回転部５ｃは、図示していない伝達手段を経由して、駆動源５ｂの駆動を受けて回転している。
【００１８】
構造部２は、水平方向に沿ってそれぞれ配置される構造上端部２ｃ及び構造下端部２ｄと、構造上端部２ｃ及び構造下端部２ｄ間に配置され、水平方向に対して傾斜する構造傾斜部２ｅとを備えている。そして、構造上端部２ｃ及び構造下端部２ｄは、それぞれ機械室２ｂを備えている。また、構造上端部２ｃ及び構造下端部２ｄは、乗降口１ａの床を構成するために、それぞれ機械室２ｂを覆う床板２ｆを備えている。
【００１９】
欄干部７は、水平方向に沿ってそれぞれ配置される欄干上端部７ａ及び欄干下端部７ｂと、欄干上端部７ａ及び欄干下端部７ｂ間に配置され、水平方向に対して傾斜する欄干傾斜部７ｃとを備えている。欄干上端部７ａは、構造上端部２ｃの上方に配置され、欄干下端部７ｂは、構造下端部２ｄの上方に配置され、欄干傾斜部７ｃは、構造傾斜部２ｅの上方に配置されている。
【００２０】
図２及び図３に示すように、欄干部７は、構造部２よりも上方に配置されている。そして、欄干部７は、欄干本体部７ｄと、欄干本体部７ｄに着脱される複数のパネル７ｅとを備えている。複数のパネル７ｅは、搬送部３が人を搬送する方向に沿って並列されている。
【００２１】
欄干本体部７ｄは、トラス構造２ａの上枠２ｇに固定される柱７ｆと、柱７ｆと上枠２ｇとの間に配置され、柱７ｆと上枠２ｇとを連結させる連結部７ｇとを備えている。柱７ｆは、所定間隔を有し、搬送部３が人を搬送する方向に沿って並列されている。
【００２２】
欄干本体部７ｄは、柱７ｆの上部に固定される上支持部７ｈと、上支持部７ｈに支持されるデッキ部７ｉと、デッキ部７ｉの上に固定され、手摺ベルト４ａを案内する手摺レール７ｊとを備えている。デッキ部７ｉは、幅方向Ｄ１の内側に配置される主デッキ７ｋと、幅方向Ｄ１の外側に配置される外デッキ７ｍとを備えている。なお、手摺レール７ｊは、主デッキ７ｋに固定されている。
【００２３】
欄干本体部７ｄは、柱７ｆの下部に固定される下支持部７ｎと、下支持部７ｎに支持される内デッキ７ｐと、内デッキ７ｐの下部に連結されるスカートパネル７ｑとを備えている。スカートパネル７ｑは、ステップ３ｂの側部に近接して配置されている。
【００２４】
また、マンコンベヤ１は、第２電装盤８と、第２電装盤８を欄干部７に固定する盤固定部９とを備えている。例えば、第２電装盤８は、ケーブル１０によって、第１電装盤６（図１参照）と電気的に接続されている。なお、ケーブル１０は、構造部２の内部に布設されている。
【００２５】
第２電装盤８は、隣接される一対の柱７ｆ，７ｆ間に配置されている。そして、盤固定部９は、第２電装盤８と一対の柱７ｆ，７ｆのそれぞれとを連結している。即ち、第２電装盤８は、欄干本体部７ｄ（一対の柱７ｆ，７ｆ）に固定されている。
【００２６】
第２電装盤８は、電装品８ａと、電装品８ａを収容する盤体８ｂとを備えている。電装品８ａは、特に限定されないが、例えば、走行部３ａ（図１参照）及び手摺ベルト４ａの走行速度を変更させるためのインバータでもよく、また、例えば、常用電源の電圧を変圧させるトランスでもよく、また、例えば、各制御を行うシーケンサでもよい。
【００２７】
盤体８ｂの寸法は、特に限定されない。例えば、盤体８ｂは、直方体状に形成されており、１５０ｍｍ以上である辺を少なくとも一つ有することができ、また、例えば、４５０ｍｍ以上である辺を少なくとも一つ有することができ、また、例えば、５００ｍｍ以上である辺を少なくとも一つ有することができる。
【００２８】
また、第２電装盤８の重量は、特に限定されない。例えば、第２電装盤８は、１ｋｇ以上の重量を有することができ、また、例えば、５ｋｇ以上の重量を有することができ、また、例えば、１０ｋｇ以上の重量を有することができる。
【００２９】
パネル７ｅは、第２電装盤８よりも幅方向Ｄ１の内側に配置されており、幅方向Ｄ１で第２電装盤８を覆っている。また、デッキ部７ｉは、第２電装盤８よりも上下方向Ｄ３の上側に配置されており、上下方向Ｄ３で第２電装盤８を覆っている。なお、パネル７ｅ及びデッキ部７ｉは、第２電装盤８から離れている。これにより、第２電装盤８からパネル７ｅ及びデッキ部７ｉに伝熱することを抑制することができている。
【００３０】
ところで、欄干部７及び第２電装盤８の幅方向Ｄ１の外側には、躯体１１が存在している。そして、欄干部７と躯体１１とが協働することによって、具体的には、パネル７ｅ、デッキ部７ｉ及び躯体１１が協働することによって、構造部２よりも上方に、閉空間が存在している。そして、第２電装盤８は、その閉空間に配置されている。
【００３１】
このように、第２電装盤８は、欄干部７の内部に収容されている。したがって、機械室２ｂ（図１参照）の内部のスペースに関わらず、第２電装盤８を設置することができる。これにより、例えば、電装盤６，８を複数設置したい場合や、電装盤８を追加して設置したい場合に、電装盤８を確実に設置することができる。
【００３２】
また、例えば、第２電装盤８に対する作業を行うために、第２電装盤８を取り外して、作業位置まで運ぶ作業を行う場合がある。このとき、第２電装盤８が機械室２ｂの内部に配置されている場合には、床板２ｆを取り外し、第２電装盤８を持ち上げるようにして、機械室２ｂの外部に運搬する必要がある。
【００３３】
それに対して、第２電装盤８が欄干部７に配置されている場合には、パネル７ｅを取り外し、第２電装盤８を側方に移動するようにして、欄干部７の外部に運搬するだけでよい。したがって、斯かる作業を容易に行うことができる。特に、第２電装盤８の重量が大きい場合（例えば、１０ｋｇ以上の重量がある場合）には、その効果が顕著になる。
【００３４】
また、例えば、第２電装盤８が、発熱する電装品８ａを備えている場合には、盤体８ｂの外部に放熱する。そして、上方の機械室２ｂでは、第１電装盤６及び駆動源５ｂ（図１参照）が発熱しているため、発熱する装置５ｂ，６，８の配置を分散することができている。これにより、機械室２ｂの内部及び欄干部７の内部の温度が上がり過ぎることを抑制することができる。なお、外デッキ７ｍと躯体１１との間に、隙間を埋めるための介在体（例えば、パッキン）１２が設けられている。
【００３５】
また、第２電装盤８は、欄干部７の欄干傾斜部７ｃの内部に収容されている。即ち、第２電装盤８は、欄干傾斜部７ｃのパネル７ｅに、幅方向Ｄ１で覆われている。これにより、欄干傾斜部７ｃのパネル７ｅが欄干本体部７ｄから取り外され、第２電装盤８が開放されることによって、第２電装盤８に対する作業（例えば、点検作業、保守作業、交換作業）を行うことができる。
【００３６】
これにより、例えば、乗降口１ａに配置される床板２ｆ（図１参照）が、作業時に外されることが多いため、欄干上端部７ａ及び欄干下端部７ｂ（図１参照）の付近に足場がない場合が多いことに対して、第２電装盤８に対する作業を行う際に、搬送部３を足場として利用することができる。その結果、第２電装盤８に対する作業を容易に行うことができる。
【００３７】
また、パネル７ｅが欄干本体部７ｄに取り付けられている際に、パネル７ｅの端部は、柱７ｆと位置合わせされている。即ち、パネル７ｅの端部は、幅方向Ｄ１で柱７ｆと重なっている。これにより、第２電装盤８の全体は、一つのパネル７ｅに、幅方向Ｄ１で覆われている。したがって、一つのパネル７ｅが欄干本体部７ｄから取り外されることによって、図４に示すように、第２電装盤８が開放される。その結果、第２電装盤８に対する作業を容易に行うことができる。
【００３８】
以上より、本実施形態に係るマンコンベヤ１は、人を搬送する搬送部３と、前記搬送部３の幅方向Ｄ１の外側に配置される欄干部７と、電装品８ａを内部に有する電装盤８と、を備え、前記電装盤８は、前記欄干部７の内部に収容される。
【００３９】
斯かる構成によれば、電装盤８が欄干部７の内部に収容されているため、機械室２ｂの内部のスペースに関わらず、電装盤８を設置することができる。したがって、電装盤８を確実に設置することができる。
【００４０】
また、本実施形態に係るマンコンベヤ１においては、前記欄干部７は、前記電装盤８を固定する欄干本体部７ｄと、前記電装盤８よりも幅方向Ｄ１の内側に配置され、前記欄干本体部７ｄに着脱される複数のパネル７ｅと、を備え、前記電装盤８の全体は、複数の前記パネル７ｅのうちの一つに、幅方向Ｄ１で覆われる、という構成である。
【００４１】
斯かる構成によれば、一つのパネル７ｅが欄干本体部７ｄから取り外されることによって、電装盤８が開放される。これにより、電装盤８に対する作業を行うことができる。
【００４２】
また、本実施形態に係るマンコンベヤ１においては、前記欄干部７は、前記電装盤８を固定する欄干本体部７ｄと、前記電装盤８よりも幅方向Ｄ１の内側に配置され、前記欄干本体部７ｄに着脱される複数のパネル７ｅと、を備え、前記欄干部７は、水平方向に沿ってそれぞれ配置される上端部７ａ及び下端部７ｂと、前記上端部７ａ及び前記下端部７ｂ間に配置され、水平方向に対して傾斜する傾斜部７ｃと、を備え、前記電装盤８の少なくとも一部は、前記傾斜部７ｃの前記パネル７ｅに、幅方向Ｄ１で覆われる、という構成である。
【００４３】
斯かる構成によれば、傾斜部７ｃのパネル７ｅが欄干本体部７ｄから取り外されることによって、電装盤８が開放される。これにより、電装盤８に対する作業を行うことができる。
【００４４】
なお、マンコンベヤ１は、上記した実施形態の構成に限定されるものではなく、また、上記した作用効果に限定されるものではない。また、マンコンベヤ１は、本発明の要旨を逸脱しない範囲内において種々変更を加え得ることは勿論である。例えば、下記する各種の変更例に係る構成や方法等を任意に一つ又は複数選択して、上記した実施形態に係る構成や方法等に採用してもよいことは勿論である。
【００４５】
（１）上記実施形態に係るマンコンベヤ１においては、パネル７ｅ、デッキ部７ｉ及び躯体１１が協働することによって、構造部２よりも上方に、第２電装盤８を収容する閉空間が存在している、という構成である。しかしながら、マンコンベヤ１は、斯かる構成に限られない。例えば、マンコンベヤ１は、図５に示すように、第２電装盤８よりも、幅方向Ｄ１の外側に配置される外装パネル７ｒを備えている、という構成でもよい。
【００４６】
図５に係る欄干部７においては、パネル７ｅ、デッキ部７ｉ及び外装パネル７ｒが協働することによって、構造部２よりも上方に、第２電装盤８を収容する閉空間が存在している。外装パネル７ｒは、幅方向Ｄ１で第２電装盤８を覆っている。なお、外装パネル７ｒは、デッキ部７ｉ（外デッキ７ｍ）に連結されており、第２電装盤８から離れている。
【００４７】
（２）また、上記実施形態に係るマンコンベヤ１においては、第１電装盤６は、機械室２ｂの内部に収容され、第２電装盤８は、欄干部７の内部に収容されている、という構成である。しかしながら、マンコンベヤ１は、斯かる構成に限られない。例えば、全ての電装盤６，８が、欄干部７の内部に収容されている、という構成でもよい。また、一部の電装盤６，８が、一方の欄干部７の内部に収容され、残りの電装盤６，８が、他方の欄干部７の内部に収容されている、という構成でもよい。
【００４８】
（３）また、上記実施形態に係るマンコンベヤ１においては、第２電装盤８の全体は、一つのパネル７ｅに、幅方向Ｄ１で覆われている、という構成である。しかしながら、マンコンベヤ１は、斯かる構成に限られない。例えば、第２電装盤８は、複数のパネル７ｅに、幅方向Ｄ１で覆われている、という構成でもよい。即ち、所定のパネル７ｅは、第２電装盤８の一部を、幅方向Ｄ１で覆っている、という構成でもよい。
【００４９】
（４）また、上記実施形態に係るマンコンベヤ１においては、第２電装盤８は、欄干部７の欄干傾斜部７ｃの内部に収容されている、という構成である。しかしながら、マンコンベヤ１は、斯かる構成に限られない。例えば、第２電装盤８は、欄干部７の欄干上端部７ａ又は欄干下端部７ｂの内部に収容されている、という構成でもよい。即ち、第２電装盤８は、欄干上端部７ａ又は欄干下端部７ｂのパネル７ｅに、幅方向Ｄ１で覆われている、という構成でもよい。
【００５０】
（５）また、上記実施形態に係るマンコンベヤ１においては、パネル７ｅは、欄干本体部７ｄに着脱可能である、という構成である。しかしながら、マンコンベヤ１は、斯かる構成に限られない。例えば、パネル７ｅは、欄干本体部７ｄに着脱不能に固定されている、という構成でもよい。
【符号の説明】
【００５１】
１…マンコンベヤ、１ａ…乗降口、２…構造部、２ａ…トラス構造、２ｂ…機械室、２ｃ…構造上端部、２ｄ…構造下端部、２ｅ…構造傾斜部、２ｆ…床板、２ｇ…上枠、３…搬送部、３ａ…走行部、３ｂ…ステップ、４…手摺部、４ａ…手摺ベルト、５…駆動部、５ａ…第１回転部、５ｂ…駆動源、５ｃ…第２回転部、６…第１電装盤、７…欄干部、７ａ…欄干上端部、７ｂ…欄干下端部、７ｃ…欄干傾斜部、７ｄ…欄干本体部、７ｅ…パネル、７ｆ…柱、７ｇ…連結部、７ｈ…上支持部、７ｉ…デッキ部、７ｊ…手摺レール、７ｋ…主デッキ、７ｍ…外デッキ、７ｎ…下支持部、７ｐ…内デッキ、７ｑ…スカートパネル、７ｒ…外装パネル、８…第２電装盤、８ａ…電装品、８ｂ…盤体、９…盤固定部、１０…ケーブル、１１…躯体、１２…介在体、Ｄ１…第１横方向（幅方向）、Ｄ２…第２横方向、Ｄ３…上下方向
【図１】
2020023376.tif 000003
【図２】
2020023376.tif 000004
【図３】
2020023376.tif 000005
【図４】
2020023376.tif 000006
【図５】
2020023376.tif 000007